(57)【要約】【課題】  機能を実行させるための入力操作を低減し、情報処理装置の操作性を向上させる。【解決手段】  ＮＦＣ等を利用した無線通信装置の検出に応じて、表示画面に対応する機能を実行させるための設定情報を前記無線通信装置から取得し、取得した設定情報に基づいて機能を実行する。【選択図】  図８
2014179882.tif 000002
【特許請求の範囲】
【請求項１】
複数の機能を提供する情報処理装置であって、
無線通信装置を検出する検出手段と、
前記検出手段による検出に応じて、前記情報処理装置の状態に対応する機能を実行させるための設定情報を前記無線通信装置から取得する取得手段と、
前記取得手段によって取得した設定情報に基づいて前記情報処理装置の状態に対応する機能を実行する実行手段と
を有することを特徴とする情報処理装置。
【請求項２】
前記複数の機能のうち少なくとも１つに対応する画面を表示する表示手段を備え、前記状態は前記表示手段が表示する画面に関連することを特徴とする請求項１に記載の情報処理装置。
【請求項３】
前記無線通信装置の動作を判別する判別手段を備え、前記状態は前記無線通信装置の動作に関連することを特徴とする請求項１に記載の情報処理装置。
【請求項４】
前記機能はコピー、スキャン、ファックスの少なくともいずれか１つを含むことを特徴とする請求項１乃至３に記載の情報処理装置。
【請求項５】
前記無線通信装置は複数の記憶領域を備え、前記取得手段は前記表示手段の表示している内容を識別する識別手段と、当該識別手段が識別した内容に応じた設定情報を前記無線通信装置から取得することを特徴とする請求項２に記載の情報処理装置。
【請求項６】
前記無線通信装置は複数の記憶領域を備え、前記取得手段は前記判別手段が判別した結果に応じた設定情報を前記無線通信装置の対応する記憶領域から取得することを特徴とする請求項３に記載の情報処理装置。
【請求項７】
前記取得手段で読み出した前記設定情報を、前記無線通信装置の記憶領域に書き込む書き込み手段をさらに有することを特徴とする請求項５または６に記載の情報処理装置。
【請求項８】
前記取得手段で取得した前記設定情報を修正するための操作手段をさらに有することを特徴とする請求項７に記載の情報処理装置。
【請求項９】
前記操作手段は前記設定情報の設定情報を新規に追加、設定情報の消去、設定情報の変更、設定情報に基づいた実行の少なくともいずれか１つを実施することを特徴とする請求項８に記載の情報処理装置。
【請求項１０】
複数の機能を提供する情報処理装置の制御方法であって、
複数の機能のうち少なくとも１つに対応する画面を表示する表示工程と、
無線通信装置を検出する検出工程と、
前記検出工程での検出に応じて、前記表示工程で表示している画面に対応する機能を実行させるための設定情報を前記無線通信装置から取得する取得工程と、
前記取得工程で取得した設定情報に基づいて前記表示工程で表示している画面に対応する機能を実行する実行工程と、
を有することを特徴とする制御方法。
【請求項１１】
複数の機能を提供する情報処理装置の制御方法であって、
無線通信装置を検出する検出工程と、
前記無線通信装置の動作を判別する判別工程と、
前記判別工程で判別した結果に対応する機能を実行させるための設定情報を前記無線通信装置から取得する取得工程と、
前記取得工程で取得した設定情報に基づいて前記判別工程で判別した結果に対応する機能を実行する実行工程と、
を有することを特徴とする制御方法。
【請求項１２】
情報処理装置と無線通信装置とを有する情報処理システムであって、
前記情報処理装置は、
複数の機能のうち少なくとも１つに対応する画面を表示する表示手段と、
無線通信装置を検出する検出手段と、
前記検出手段による検出に応じて、前記表示手段で表示している画面に対応する機能を実行させるための設定情報を前記無線通信装置から取得する取得手段と、
前記取得手段によって取得した設定情報に基づいて前記表示手段で表示している画面に対応する機能を実行する実行手段とを備え、
前記無線通信装置は、前記設定情報を保持する記憶領域を備えていることを特徴とする情報処理システム。
【請求項１３】
表示手段を有する情報処理装置と、無線通信装置とを有する情報処理システムであって、
前記情報処理装置は、
無線通信装置を検出する検出手段と、
前記無線通信装置の動作を判別する判別手段と、
前記検出手段による検出に応じて、前記判別手段で判別した結果に対応する機能を実行させるための設定情報を前記無線通信装置から取得する取得手段と、
前記取得手段によって取得した設定情報に基づいて前記表示手段で表示している画面に対応する機能を実行する実行手段とを備え、
前記無線通信装置は、前記設定情報を保持する記憶領域を備えていることを特徴とする情報処理システム。
【発明の詳細な説明】
【技術分野】
【０００１】
本発明は、近距離無線通信により情報の送受信を行う機能を備えた情報処理装置に関する。
【背景技術】
【０００２】
近年、ＭＦＰ（Ｍｕｌｔｉ  Ｆｕｎｃｔｉｏｎ  Ｐｒｉｎｔｅｒ）をはじめとした多機能の装置の普及が進んでいる。このような多機能の装置を使用する際、ユーザはまず実行しようとする機能を選択し、選択した機能についてどのように実行させるかを設定した後に、機能を開始させる。この際、ユーザは情報処理装置の機能の選択や設定のために何度もユーザインタフェース（ＵＩ）を用いた入力が必要となることがある。またユーザからの入力を受け付けている間に情報処理装置は、複数の画面を何回も切り替える可能性がある。その結果、ユーザが実現したい設定に基づく処理を実行するための入力操作が煩雑になることが多い。
【０００３】
特許文献１はユーザの持つ非接触ＩＣカードが情報処理装置の非接触ＩＣカードリーダ／ライタに対して所定時間内に近接された回数に応じて送信するデータを異ならせる技術を開示している。
【０００４】
また、特許文献２はデジタルフォトフレームに携帯端末をタッチさせ、タッチさせた時間に応じて機能（再生、ボリューム変更など）を異ならせる技術を開示している。
【先行技術文献】
【特許文献】
【０００５】
【特許文献１】特登録第４７７６９４３号公報
【特許文献２】国際公開２００７−０３４４５７
【発明の概要】
【発明が解決しようとする課題】
【０００６】
しかし、特許文献１や特許文献２のように、携帯端末などを情報処理装置に近接させた時間や回数に応じて情報処理装置の機能を切り替えると、近接させた回数や時間と機能との紐付けがユーザにとって分かりづらく直感的に操作し難い。
【課題を解決するための手段】
【０００７】
上記課題を解決するために、本発明に係る情報処理装置は、無線通信装置を検出する検出手段と、前記検出手段による検出に応じて、前記情報処理装置の状態に対応する機能を実行させるための設定情報を前記無線通信装置から取得する取得手段と、前記取得手段によって取得した設定情報に基づいて前記情報処理装置の状態に対応する機能を実行する実行手段とを有することを特徴とする。
【発明の効果】
【０００８】
本発明によればユーザが所望する機能を実行させるための入力操作回数を低減させ、操作性を向上させることができる。
【図面の簡単な説明】
【０００９】
【図１】情報処理システムの概略形態を示す模式図である。
【図２】ＭＦＰの概略構成を示すブロック図である。
【図３】ＣＰＵのソフトウェア構成を示すブロック図である。
【図４】非接触ＩＣカードの概略構成を示すブロック図である。
【図５】ＩＣチップの記憶内容を示すメモリマップである。
【図６】ＭＦＰの概略処理を示すフローチャートである。
【図７】ＭＦＰの概略処理を示すフローチャートである。
【図８】ＭＦＰの概略処理を示すフローチャートである。
【図９】ＲＯＭが保持するテーブルである。
【図１０】ＭＦＰの概略処理を示すフローチャートである。
【図１１】ＭＦＰの概略処理を示すフローチャートである。
【図１２】ＭＦＰの表示画面の一例を示す図である。
【図１３】ＭＦＰの概略処理を示すフローチャートである。
【発明を実施するための形態】
【００１０】
以下に、図面を参照して、本発明の実施形態を詳細に説明する。
【００１１】
本実施形態における情報処理システム全体の概略を図１に示す。本実施形態に係る情報処理システムは、無線通信機能を備えた情報処理装置としてのＭＦＰ１０１と、無線通信機能を備えた無線通信装置としての非接触ＩＣカード１０２とを備える。ＭＦＰ１０１と非接触ＩＣカード１０２は、近距離無線通信１０３によって無線通信接続が可能である。
【００１２】
本実施形態では、近距離無線通信１０３の具体的な通信手段として近距離無線通信の規格であるＮＦＣ（Ｎｅａｒ  Ｆｉｅｌｄ  Ｃｏｍｍｕｎｉｃａｔｉｏｎ）を用いた例について述べる。ＮＦＣの通信範囲は、１０センチメートル未満とされる。従って、ユーザがＭＦＰ１０１の通信部２０６と非接触ＩＣカード１０２のアンテナ４０２とを１０センチメートル未満の距離に近接させることで、ＭＦＰ１０１と非接触ＩＣカード１０２との間で近距離無線通信１０３を確立させることができる。また、ユーザが非接触ＩＣカード１０２のアンテナ４０２をＭＦＰ１０１の通信部２０６の通信範囲より遠ざけることで、ＭＦＰ１０１と非接触ＩＣカード１０２との間での近距離無線通信１０３を切断させることができる。このように、ユーザは非接触ＩＣカード１０２を手に持って近づけたり離したりするだけで、ＭＦＰ１０１と非接触ＩＣカード１０２との間の近距離無線通信１０３の確立や切断を行うことができる。
【００１３】
次に、ＭＦＰ１０１のハードウェア構成の概略を図２に示す。図２において、ＣＰＵ２０１は、ＭＦＰ１０１全体を制御する中央演算ユニットである。ＲＯＭ２０２は、後述するフローチャートを実現するためのプログラムや固定データを記憶する不揮発性記憶領域である。ＲＡＭ２０３は、ＣＰＵ２０１に処理を実行させるために展開したプログラムや画像データ、設定情報等を一次記憶したりする揮発性記憶領域である。表示部２０４はＬＣＤ（Ｌｉｑｕｉｄ  Ｃｒｙｓｔａｌ  Ｄｉｓｐｌａｙ）等の表示画面を備え、ＭＦＰ１０１の処理内容に応じた画像やテキストデータの表示を行う。操作部２０５はボタン操作やタッチパネル等により、ＭＦＰ１０１に対するユーザからの入力を受け付ける。通信部２０６は、ＮＦＣチップ（ＮＦＣ通信規格対応ＩＣチップ）を備え、非接触ＩＣカード１０２との近距離無線通信１０３を実現する。通信部２０６は、微弱電波を発生させ変調をかけることで、非接触ＩＣカード１０２へメッセージを送信する。
【００１４】
また、通信部２０６は、ＩＣチップ４０３の負荷変動を検出しデータを受信する。プリント処理部２０７は、例えばインクジェット方式やレーザー方式等のプリンタデバイスを備え、プリンタデバイス制御及び、紙等の記録媒体への画像の印刷といった処理を行う。スキャン処理部２０８は、スキャナデバイスを備え、スキャナデバイス制御及び、原稿の読み取り、画像データの生成、ＲＡＭ２０３への転送といった処理を行う。ファックス処理部２０９は、ファックスデバイスを備え、ファックスデバイス制御及び、他の情報処理装置との画像データの送受信といった処理を行う。
【００１５】
次に、後述するフローチャートを実現するためのＣＰＵ２０１のソフトウェア構成を図３に示す。図３において、通信処理部３０１は処理内容に応じたメッセージを生成し、通信部２０６を介して、非接触ＩＣカード１０２に生成したメッセージを送信する。また、通信処理部３０１は非接触ＩＣカード１０２から通信部２０６を介してデータを受信し、処理する。入力処理部３０２は操作部２０５が受け付けた入力情報を処理する。表示処理部３０３は、表示部２０４の表示画面への画像の出力といった処理を行う。動作判別部３０４は、表示部２０４の表示画面に基づいて、ＭＦＰ１０１の動作を決定する。デバイス制御部３０５は、プリント処理部２０７及び、スキャン処理部２０８、ファックス処理部２０９の制御を行う。
【００１６】
次に、非接触ＩＣカード１０２のハードウェア構成を図４に示す。図４において、電源生成回路４０１は、アンテナ４０２を介し、通信部２０６が発生させた微弱電波から電磁誘導によって電力を取得する。取得した電力が規定値を上回った時点で、ＩＣチップ４０３を起動させる。ＩＣチップ４０３はアンテナ４０２を介して、ＭＦＰ１０１からメッセージを受信し、処理する。また、ＩＣチップ４０３は負荷を切り替えることにより、アンテナ４０２を介して、ＭＦＰ１０１へデータを送信する。また、ＩＣチップ４０３は不揮発性記憶領域を備え、受信したメッセージに応じて不揮発性記憶領域へのデータの書込みや読み出しといった処理を行う。
【００１７】
次に、ＩＣチップ４０３が備える不揮発性記憶領域のメモリマップを図５に示す。ＩＣチップ４０３が備える不揮発性記憶領域は個体識別ＩＤ５０１、及び使用可能領域５０２を備える。個体識別ＩＤ５０１はカードの各個体を識別するためのＩＤである。個体識別ＩＤ５０１は工場出荷時にカードごとに重複しない値が割り当てられており書き変えることは出来ない。使用可能領域５０２は、他の無線通信機能を備えた情報処理装置からのメッセージに応じたデータの書込みや読み出しといった処理ができる不揮発性記憶領域である。本実施形態では、使用可能領域５０２はコピー機能設定情報領域５０３及び、ファックス機能設定情報領域５０４、スキャン機能設定情報領域５０５を備える。コピー機能設定情報領域５０３は、機能ＩＤ５０６及び、優先設定番号５０７、設定情報数５０８、１つ以上の設定情報５０９を備える。機能ＩＤ５０６は、各機能設定情報領域（５０３、５０４、５０５）の先頭に記憶されており、機能ごとに重複しない値を取る。ここで、機能とはコピー及び、スキャン、ファックスといったＭＦＰ１０１がユーザに提供するサービスの種類を指す。例えば、ＭＦＰ１０１は、各機能の設定情報領域（５０３、５０４、５０５）の先頭の機能ＩＤ５０６を取得し、コピー機能に対応した値か否か比較することで、コピー機能設定情報領域５０３を特定する。優先設定番号５０７は設定情報５０９の中で、優先設定とされている設定情報の登録番号である。
【００１８】
ここで、優先設定とは同機能の設定情報５０９の中で最も優先的にＭＦＰ１０１で用いる設定情報を指す。設定情報数５０８は非接触ＩＣカード１０２が記憶する同機能の設定情報５０９の数である。設定情報５０９は登録番号とコピー機能を実現するための設定詳細を備える。登録番号は同機能の設定情報５０９を一意に決めるための番号である。登録番号は非接触ＩＣカード１０２が記憶する同機能の設定情報ごとに重複しない値を持つ。また、設定詳細はカラーとモノクロのどちらでコピーするか、どの用紙サイズの媒体に出力するか、倍率、部数といったコピー機能を実現するための情報が一通り盛り込まれている。なお、設定詳細は機能ごとにそれぞれ異なった情報を持つ。例えば、ファックス機能の設定詳細では宛先番号、解像度、リダイヤル回数、発信元記録の有無といったファックス機能を実現するための情報が一通り盛り込まれている。同様に、スキャン機能の設定詳細はカラーとモノクロのどちらでスキャンするか、拡張子、解像度といったスキャン機能を実現するための情報が一通り盛り込まれている。
【００１９】
なお、ファックス機能設定情報領域５０４、スキャン機能設定情報領域５０５はそれぞれ、コピー機能設定情報領域５０３と同様のメモリマップを持つので、説明を省略する。
【００２０】
＜実施形態１＞
図６は、ＭＦＰ１０１と非接触ＩＣカード１０２の近距離無線通信１０３に用いるＮＦＣのアクティビティの処理フロー図である。ＮＦＣの通信処理においては、ＮＦＣデバイスはアクティビティと呼ばれる一連の処理を行うことで、通信相手の検知、通信確立、データの送受信を実現する。ここでＮＦＣデバイスは、ＮＦＣチップを備えた装置である。
【００２１】
各アクティビティでは、複数のＮＦＣデバイスが相互にコマンドを送受することで、通信の確立、データ交換、終了処理を行う。アクティビティの遷移について次に説明する。まずテクノロジ検出アクティビティ（Ｓ６０１）では、通信範囲内に他のＮＦＣデバイスが存在しているかを検知し、ＮＦＣデバイスが見つかった場合は、その対向デバイスのＮＦＣ種別をコマンドの送受信により確認する。衝突解決アクティビティ（Ｓ６０２）では、複数のＮＦＣデバイスが検出された場合の識別を行う。デバイス活性化アクティビティ（Ｓ６０３）では、検出された対向デバイスがＰ２Ｐ（Ｐｅｅｒ  ｔｏ  Ｐｅｅｒ）モードやＣＥ（Ｃａｒｄ  Ｅｍｕｌａｔｏｒ）モードなどのいずれのモードに対応（または関連）しているか、あるいはＮＦＣカードの対応しているタイプを判別する。ＮＦＣカードは、ＮＦＣタグリーダ／ライタによって読み書き可能なＩＣカードである。Ｐ２Ｐモードは、通信を行う両ＮＦＣデバイスがＰ２Ｐモードで動作することで、双方向に任意のデータの送受を可能とするモードである。ＮＦＣデバイスはＰ２Ｐモードの他に、ＮＦＣカードのように振る舞いＮＦＣカードリーダ／ライタからのアクセスを可能とするＣＥモードと、ＮＦＣカードの読み書きを行うＲ／Ｗ（リーダ／ライタ）モードに遷移可能である。本実施形態では、ＣＰＵ２０１は、Ｒ／Ｗモードで動作し、通信部２０６とアンテナ４０２間の通信を制御する。データ交換アクティビティ（Ｓ６０４）では、検出された対向デバイスとデータの送受信を行う。このアクティビティにおいて、対向デバイスに対して任意のデータの送受信が可能である。デバイス非活性化アクティビティ（Ｓ６０５）では、通信の終了処理を行う。ステップＳ６０１〜Ｓ６０５までの一連の処理によって能動的にコマンドを送信する通信モードが、ＰｏｌｌモードとしてＮＦＣ規格で規定されている。本実施形態では、ＭＦＰ１０１がＰｏｌｌモードで接続するケースについて述べる。上述の一連のアクティビティ処理により、ＭＦＰ１０１の通信部２０６が備えるＮＦＣチップと非接触ＩＣカード１０２のアンテナ４０２の近接に応じて、ＮＦＣ通信接続確立とデータの送受信を行う。
【００２２】
本実施形態では、ＭＦＰ１０１が非接触ＩＣカード１０２との近接に応じて、表示部２０４の表示画面と優先設定に基づいたコピー機能の実行を行う例について説明する。
【００２３】
本実施形態のＭＦＰ１０１におけるフローチャートを図７に示す。まずステップＳ７０１では、通信処理部３０１は前述の図６に示すステップＳ６０１、Ｓ６０２、Ｓ６０３の処理により、通信部２０６とアンテナ４０２との近接を検知してＮＦＣ通信による近距離無線通信接続の確立処理を開始する。ステップＳ７０２では、通信処理部３０１は通信部２０６を介して、非接触ＩＣカード１０２に対し、Ｒ／Ｗモードで動作し接続を行う。ステップＳ７０３では、ＣＰＵ２０１は近接対応動作判別を行う。近接対応動作判別における送受信処理はステップＳ６０４のデータ交換アクティビティに該当する。
【００２４】
次に、ＭＦＰ１０１における近接対応動作判別の手順を示すフローチャートを図８に示す。まずステップＳ８０１では、動作判別部３０４は、表示部２０４の表示画面が判別対象画面であるか否か判別する。表示画面は、それぞれ画面ＩＤが割り当てられている。表示画面に対応する画面ＩＤ及び、近接対応動作ＩＤ、機能ＩＤのテーブルを図９（ａ）に示す。近接対応動作ＩＤ及び、機能ＩＤの説明は後述する。なお、図９に示すテーブルは、ＭＦＰ１０１がＲＯＭ２０２に保持している。ここで、画面ＩＤとは、図９（ａ）のような、表示部２０４の表示画面ごとに割り振られた画面識別子である。表示画面としては例えば「コピー／優先設定実行画面」や「コピー／設定情報操作画面」等が挙げられる。「コピー／優先設定実行画面」は、ＭＦＰ１０１が、非接触ＩＣカード１０２から優先設定を取得し、優先設定に基づいてコピー機能を実行するための近接を受け付ける画面である。また、「コピー／設定情報操作画面」は、ユーザが操作部２０５を介して、非接触ＩＣカード１０２が記憶するコピー機能の設定情報を修正する操作をするための近接を受け付ける画面である。判別対象画面とは、複数ある表示画面の中で、非接触ＩＣカード１０２の近接を検知した際のＭＦＰ１０１の動作（以後、近接対応動作と称す）を判別する表示画面である。ここで、近接対応動作の種類として、優先設定実行と設定情報操作がある。優先設定実行とは、ＭＦＰ１０１が、非接触ＩＣカード１０２から優先設定を取得し、優先設定に基づいて各機能を実行する動作である。また、設定情報操作とは、ＭＦＰ１０１が、非接触ＩＣカード１０２から各機能の設定情報を取得し、設定情報を操作する動作である。
【００２５】
動作判別部３０４は、図９（ａ）に示すテーブルを用いて、画面ＩＤから近接対応動作ＩＤを取得することで、表示画面が判別対象画面か否か判別する。近接対応動作は、それぞれ近接対応動作ＩＤが割り当てられている。近接対応動作に対応する、近接対応動作ＩＤのテーブルを図９（ｂ）に示す。ここで、近接対応動作ＩＤとは、図９（ｂ）のように、近接対応動作ごとに割り振られた動作識別子である。また、図９（ａ）のように、近接対応動作ＩＤは、表示画面ごとに設定される。本実施形態では、表示部２０４の表示画面は「コピー／優先設定実行画面」を表示していると仮定する。動作判別部３０４は、図９（ａ）に示すテーブルを用いて、画面ＩＤから近接対応動作ＩＤを取得する。動作判別部３０４は、図９（ｂ）に示すテーブルと近接対応動作ＩＤを比較することで、表示画面が判別対象画面であると判断し、ステップＳ８０２へ進む。ステップＳ８０２では、動作判別部３０４は、表示画面が優先設定実行画面か否か判別する。ステップＳ８０１同様に、動作判別部３０４は、図９（ａ）に示すテーブルを用いて、画面ＩＤから近接対応動作ＩＤを取得する。動作判別部３０４は、図９（ｂ）に示すテーブルと近接対応動作ＩＤを比較することで、表示画面が優先設定実行画面であると判断し、ステップＳ８０３へ進む。ステップＳ８０３では、ＣＰＵ２０１は優先設定実行を行う。
【００２６】
次に、ＭＦＰ１０１における優先設定実行の手順を示すフローチャートを図１０に示す。ステップＳ１００１では、通信処理部３０１は、非接触ＩＣカード１０２から優先設定を取得する。まず、動作判別部３０４は、表示画面に対応する機能を、図９（ａ）に示すテーブルを用いて、画面ＩＤから機能ＩＤを取得する。機能はそれぞれ機能ＩＤが割り当てられている。機能に対応する、機能ＩＤのテーブルを図９（ｃ）に示す。ここで、機能ＩＤとは、図９（ｃ）のように、機能ごとに割り振られた機能識別子である。また、図９（ａ）のように、機能ＩＤは表示画面ごとに設定される。動作判別部３０４は、図９（ｃ）に示すテーブルと機能ＩＤを比較することで、表示画面に対応する機能はコピー機能であることを特定する。その後、通信処理部３０１は、ＩＣチップ４０３が保持する不揮発性記憶領域から、各機能設定情報領域（５０３、５０４、５０５）の先頭にある機能ＩＤ５０６を取得する。通信処理部３０１は、図９（ｃ）に示すテーブルと取得した機能ＩＤとを比較することで、コピー機能設定情報領域５０３を特定する。次に、通信処理部３０１は、コピー機能設定情報領域５０３の優先設定番号５０７を取得する。その後、通信処理部３０１は、設定情報５０９の登録番号を順に取得し、取得した優先設定番号５０７と設定情報５０９の登録番号とを比較することで優先設定である設定情報を特定し取得する。ステップＳ１００２では、デバイス制御部３０５は優先設定に基づいてコピー機能を実行する。まず、デバイス制御部３０５は通信処理部３０１の受信した優先設定に基づいて、スキャン処理部２０８を介して、ＭＦＰ１０１に設置されている原稿を読み取る。次に、プリント処理部２０７を介して、紙等への印刷を実行する。
【００２７】
以上により、ＭＦＰ１０１は非接触ＩＣカード１０２との近接に応じて、表示部２０４の表示画面と優先設定に基づいたコピー機能の実行を行う。
【００２８】
上述の実施形態によれば、ユーザは操作部２０５を用いた画面の切り替えと、非接触ＩＣカード１０２を近接させることで、機能を開始させることができる。結果、操作部２０５を用いた入力回数を低減させることができ、ＭＦＰ１０１の操作性の向上が期待できる。
【００２９】
＜実施形態２＞
実施形態１では、ＭＦＰ１０１が非接触ＩＣカード１０２との近接に応じて、表示部２０４の表示画面と優先設定に基づいたコピー機能の実行を行う例について説明した。これに対し、本実施形態では、同近接に応じて、ＭＦＰ１０１が表示部２０４の表示画面に基づいた、コピー機能の設定情報操作を行う例について説明する。なお、実施形態１と同一機能を有する構成や工程には同一符号を付すとともに、構成的、機能的にかわらないものについてはその説明を省略する。
【００３０】
図１、図２、図３、図４に示す機器構成及び、図５に示すメモリマップ、図６、図７、図８に示すフローチャートは実施形態１と同様である。また、本実施形態では、表示部２０４の表示画面は「コピー／設定情報操作画面」を表示していると仮定する。図８において、ステップＳ８０１のＭＦＰ１０１の動作は、実施形態１と同様のため省略する。ステップＳ８０２では、動作判別部３０４は、表示画面が優先設定実行画面か否か判別する。まず、動作判別部３０４は、図９（ａ）に示すテーブルを用いて、画面ＩＤから近接対応動作ＩＤを取得する。さらに、動作判別部３０４は、図９（ｂ）に示すテーブルと近接対応動作ＩＤを比較し、表示画面は設定情報操作画面であると特定し、ステップＳ８０４に進む。ステップＳ８０４では、ＣＰＵ２０１は設定情報操作を行う。
【００３１】
次に、ＭＦＰ１０１における設定情報操作の手順を示すフローチャートを図１１に示す。ステップＳ１１０１では、通信処理部３０１は、非接触ＩＣカード１０２から、コピー機能の設定情報を取得する。まず、動作判別部３０４は、図９（ａ）に示すテーブルを用いて、画面ＩＤから、機能ＩＤを取得する。さらに、動作判別部３０４は、図９（ｃ）に示すテーブルと機能ＩＤを比較することで、表示画面に対応する機能がコピー機能であると特定する。その後、通信処理部３０１は、ＩＣチップ４０３が保持する不揮発性記憶領域から、各機能設定情報領域（５０３、５０４、５０５）の先頭にある機能ＩＤ５０６を取得する。通信処理部３０１は、図９（ｃ）に示すテーブルと取得した機能ＩＤを比較し、コピー機能設定情報領域５０３を特定する。次に、通信処理部３０１は、コピー機能設定情報領域５０３の優先設定番号５０７と設定情報数５０８を取得する。その後、通信処理部３０１は、設定情報数５０８の数だけ設定情報５０９を順に取得する。ステップＳ１１０２では、表示処理部３０３は、通信処理部３０１が非接触ＩＣカード１０２から取得したコピー機能の設定情報と優先設定番号をもとに、設定情報の詳細を含んだ操作画面を生成し、表示部２０４の表示画面に表示する。操作画面を表示した表示部２０４の例を図１２（ａ）に示す。設定情報操作項目１２０１は、操作部２０５を用いて、設定情報５０９を操作するための項目である。設定情報操作項目１２０１としては、例えば、「新規」、「変更」、「消去」、「実行」等が挙げられる。「新規」は、非接触ＩＣカード１０２に設定情報を新たに追加する項目である。「変更」は、ＭＦＰ１０１が非接触ＩＣカード１０２が保持する設定情報の内容の変更等を行う項目である。「消去」は、ＭＦＰ１０１が、非接触ＩＣカード１０２が保持する設定情報を消去する項目である。「実行」は、ＭＦＰ１０１が、非接触ＩＣカード１０２が保持する設定情報の中から操作部２０５を介して選択された設定情報に基づき機能を実行する項目である。設定情報詳細１２０２は、ステップＳ１１０１で、ＭＦＰ１０１が非接触ＩＣカード１０２から取得したコピー機能の設定情報５０９の詳細を示している。機能名１２０４は、表示部２０４が表示している設定情報がどの機能のものか示している。ステップＳ１１０３では、入力処理部３０２は、操作部２０５を介した入力を受け付ける。受け付けた入力に応じて、入力処理部３０２は、通信処理部３０１が取得した設定情報の操作を行う。これにより、ユーザは操作部２０５を用いて、カーソル１２０３を操作することで、非接触ＩＣカード１０２の保持するコピー機能の設定情報操作が可能となる。
【００３２】
例として、コピー機能の設定情報を新規に追加する手順を説明する。まず、ユーザは操作部２０５を用いてカーソル１２０３を操作し、設定情報操作項目１２０１の「新規」を選択する。「新規」が選択された際の、表示部２０４の例を図１２（ｂ）に示す。設定項目１２０５は、コピー機能を実行する上で、ユーザが変更出来る項目を表す。なお、各設定項目は、設定情報５０９の説明にて前述しているため省略する。設定内容１２０６は各設定項目に設定されている内容を表す。内容を設定していない設定項目１２０５は、「未設定」となる。次に、ユーザは、操作部２０５を用いて「カラーモード」を選択する。「カラーモード」が選択された際の、表示部２０４の例を図１２（ｃ）に示す。カラーモード項目１２０７は、設定項目１２０５の「カラーモード」でユーザが選択できる項目を表す。ユーザは、操作部２０５を用いて、カラーで印刷したい場合は「カラー」、モノクロで印刷したい場合は「モノクロ」を選択する。その他の設定項目１２０５も同様に設定する。設定後、操作部２０５を用いて、「完了」を選択することで操作部入力受付ステップＳ１１０３を完了する。以上により、コピー機能の設定情報を新規に追加することができる。
【００３３】
ステップＳ１１０４では、通信処理部３０１は非接触ＩＣカード１０２が保持するコピー機能の設定情報及び、設定情報数、優先設定番号を通信部２０６を介して更新する。まず、通信処理部３０１は、ＩＣチップ４０３が保持する不揮発性記憶領域から、各機能設定情報領域（５０３、５０４、５０５）の先頭にある機能ＩＤ５０６を取得する。通信処理部３０１は、図９（ｃ）に示すテーブルと取得した機能ＩＤ５０６を用いて、コピー機能設定情報領域５０３を特定する。次に、通信処理部３０１は優先設定番号５０７及び、設定情報数５０８、設定情報５０９を送信し、ＩＣチップ４０３を介して、コピー機能設定情報領域５０３に書き込む。
【００３４】
以上により、ＭＦＰ１０１は非接触ＩＣカード１０２との近接に応じて、表示部２０４の表示画面に基づいた、コピー機能の設定情報操作を行う。
【００３５】
これにより、ユーザは操作部２０５を用いて、カーソル１２０３を操作することで、非接触ＩＣカード１０２が保持するコピー機能の設定情報操作が可能となる。結果、ＭＦＰ１０１の機能を実行させる際に、ユーザはその都度、操作部２０５を用いた入力する必要がなくなり、ＭＦＰ１０１の操作性の向上が期待できる。
【００３６】
＜実施形態３＞
実施形態１、実施形態２では、ＭＦＰ１０１が非接触ＩＣカード１０２との近接に応じて、表示部２０４の表示画面に基づいた、近接対応動作を行う例について説明した。これに対し、本実施形態では、ＭＦＰ１０１が非接触ＩＣカード１０２の近接後タイマー起動から時間ｔ経過する前に離されたか否かに応じて、優先設定に基づいたコピー機能の実行を行う例について説明する。なお実施形態１、実施形態２と同一機能を有する構成や工程には同一符号を付すとともに、構成的、機能的にかわらないものについてはその説明を省略する。図１、図２、図３、図４に示す機器構成及び、図５に示すメモリマップ、図６、図７、図１１に示すフローチャートは実施形態１、実施形態２と同様である。ここで、本実施形態の図３における、動作判別部３０４は、タイマーを備え、通信処理部３０１は、タイマー起動から時間ｔ経過後に非接触ＩＣカード１０２が近接されている状態にあるか判別する。また、ＭＦＰ１０１は、ＲＯＭ２０２に図９（ｃ）に示す、機能ＩＤのテーブルを保持する。動作判別部３０４は選択している機能に対応する機能ＩＤを保持する。本実施例では、動作判別部３０４はコピー機能に対応する機能ＩＤを保持していると仮定する。また、本実施形態では、ユーザは、タイマー起動から時間ｔ経過する前に非接触ＩＣカード１０２を通信部２０６から離し、近距離無線通信１０３を切断すると仮定する。
【００３７】
図７において、ステップＳ７０３までのＭＦＰ１０１の動作は実施形態１、実施形態２と同様のため省略する。
【００３８】
次に、ＭＦＰ１０１における近接対応動作判別の手順を示すフローチャートを図１３に示す。ステップＳ１３０１では、通信処理部３０１は、非接触ＩＣカード１０２から優先設定を取得する。まず、動作判別部３０４は、図９（ｃ）に示すテーブルを用いて、機能ＩＤを取得する。動作判別部３０４は、図９（ｃ）に示すテーブルと機能ＩＤを比較することで、選択されている機能がコピー機能であることを特定する。以降のＭＦＰ１０１が、非接触ＩＣカード１０２からコピー機能の優先設定を取得するまでの処理は、実施形態１と同様のため省略する。ステップＳ１３０２では、動作判別部３０４は、タイマーを起動させる。ステップＳ１３０３では、タイマー起動から時間ｔ経過後、通信処理部３０１は、非接触ＩＣカード１０２の近距離無線通信１０３が接続している状態にあるか否か判別する。ここで、時間ｔとは、動作判別部３０４が、近接対応動作を判別するための閾値である。時間ｔは、約１秒を想定している。ここで、通信処理部３０１は、非接触ＩＣカード１０２が、通信部２０６に近接され、タイマー起動から時間ｔ経過する前に離されたと判断し、ステップＳ１３０４に進む。ステップＳ１３０４では、デバイス制御部３０５は、優先設定に基づいてコピー機能を実行する。ステップＳ１３０４では、前述したステップＳ１００２と同様の処理を行うため、説明は省略する。
【００３９】
以上のように、ＭＦＰ１０１は、非接触ＩＣカード１０２との近接に応じて、近接後タイマー起動から時間ｔ経過する前に離されたか否かに従って、優先設定に基づくコピー機能の実行を行う。
【００４０】
上述の実施形態によれば、ユーザは操作部２０５を用いた機能の切り替えと、非接触ＩＣカード１０２を近接させることで、機能を開始することができる。結果、操作部２０５を用いた入力回数を低減させることができ、ＭＦＰ１０１の操作性の向上が期待できる。
【００４１】
＜実施形態４＞
実施形態３では、ＭＦＰ１０１と非接触ＩＣカード１０２の近接に応じて、近接後、タイマー起動から時間ｔ経過する前に離されたか否かに応じて、優先設定に基づいた、コピー機能の実行を行う例について説明した。これに対し、本実施形態では、ＭＦＰ１０１と非接触ＩＣカード１０２の近接に応じて、近接後、タイマー起動から時間ｔ経過する前に離されたか否かに基づいた、コピー機能の設定情報操作を行う例について説明する。なお、実施形態３と同一機能を有する構成や工程には同一符号を付すとともに、構成的、機能的にかわらないものについてはその説明を省略する。
【００４２】
図１１に示すフローチャートは実施形態２と同様である。また、図１、図２、図３、図４に示す機器構成及び、図５に示すメモリマップ、図６、図７、図１３に示すフローチャートは実施形態３と同様である。なお実施形態２、実施形態３と同一機能を有する構成や工程には同一符号を付すとともに、構成的、機能的にかわらないものについてはその説明を省略する。本実施形態は、実施形態３と同様に、動作判別部３０４は、コピー機能に対応する機能ＩＤを保持していると仮定する。また、本実施形態では、ユーザは、タイマー起動から時間ｔ経過後も非接触ＩＣカード１０２を通信部２０６に近接させたまま、近距離無線通信１０３を維持すると仮定する。
【００４３】
図１３において、ステップＳ１３０２までのＭＦＰ１０１の動作は実施形態３と同様のため省略する。ステップＳ１３０３では、通信処理部３０１は、タイマーを用いて、非接触ＩＣカード１０２の近距離無線通信１０３がステップＳ１３０２のタイマー起動から、時間ｔ経過以内に切断されたか否か判別する。ここで、通信処理部３０１は、非接触ＩＣカード１０２が、タイマー起動から時間ｔ経過後も離されずに近接されている状態にあると判断し、ステップＳ１３０５に進む。ステップＳ１３０５では、ＣＰＵ２０１は、設定情報操作を行う。設定情報操作は、前述した図１１となるため説明は省略する。
【００４４】
以上により、ＭＦＰ１０１は、非接触ＩＣカード１０２との近接に応じて、近接後すぐに離されたか否かに基づいた、コピー機能の設定情報操作を行う。
【００４５】
上述した各実施形態では近距離無線通信１０３として、ＮＦＣを用いる例を説明したが、本発明はＮＦＣに限らず、ＩｒＤＡ（Ｉｎｆｒａｒｅｄ  Ｄａｔａ  Ａｓｓｏｃｉａｔｉｏｎ：赤外線通信）等に準拠した通信を用いても構わない。もちろん、通信規格が異なれば、有効通信範囲が異なるが、有効通信範囲が異なっていても本発明を同様に適用することができる。また、上述した各実施形態では、無線通信装置として非接触ＩＣカード１０２を例として挙げた。これに対して、無線通信装置としてスマートフォン等といった携帯端末を用いても構わない。この場合、ＭＦＰ１０１は、デバイス活性化アクティビティにて、近接を検知したデバイスが、Ｐ２Ｐモードで動作すると判断する。この時、ＭＦＰ１０１は、Ｐ２Ｐモードで動作しても、本発明を同様に適用することができる。また、上述した実施形態１、実施形態３では、ＭＦＰ１０１が、非接触ＩＣカード１０２から取得した優先設定に基づいて、機能を実行する例を挙げた。
【００４６】
これに対して、非接触ＩＣカード１０２が保持する優先設定の中で、未設定の設定項目１２０５がある場合、ＭＦＰ１０１は、未設定の設定項目を、ＭＦＰ１０１が操作部２０５を介して受け付けた設定内容に基づいて、機能を実行しても構わない。また、上述した実施形態３、実施形態４では、動作判別部３０４は、ＭＦＰ１０１の近接対応動作の種類を、タイマー起動から時間ｔ経過しているか否かで判別した場合を例に挙げた。これに対し、動作判別部３０４は、ＭＦＰ１０１の近接対応動作の種類を、近接の回数等により判別しても構わない。
【００４７】
さらに、ＭＦＰ１０１に赤外線センサーを追加したり、非接触ＩＣカード１０２側にジャイロセンサを追加したりすることによって３つ以上の近接対応動作の種類を判別するようにしてもよい。また、上述した実施形態３、実施形態４では、動作判別部３０４が、ＭＦＰ１０１の近接対応動作を判別するための閾値である時間ｔを１秒としているが、時間ｔは、ユーザが操作部２０５を用いて、変更できるようにしても構わない。また、上述した実施形態４では、非接触ＩＣカード１０２の近接を検知した後、優先設定を取得する前に、非接触ＩＣカード１０２がＭＦＰ１０１から離された場合、表示部２０４の表示画面に優先設定を取得出来なかった旨を表示し、本機能を終了しても構わない。
【００４８】
なお、上述の実施形態ではＭＦＰを例に挙げて説明したが、本発明はＨＤＤレコーダーや、高機能の家電、プロ向き映像機器をはじめとして、詳細設定を有し択一的に実行するような複数の機能を備える情報処理装置であれば、適用することで同様の効果を得られる。例えば、設定情報にＬＵＴ（色変換のためのルックアップテーブル）を含めて、ＬＵＴを設定し、撮影や印刷のための色変換を含む機能を実行させるようにしてもよい。
【符号の説明】
【００４９】
１０１  ＭＦＰ
１０２  非接触ＩＣカード
１０３  近接無線通信
【図１】
2014179882.tif 000003
【図２】
2014179882.tif 000004
【図３】
2014179882.tif 000005
【図４】
2014179882.tif 000006
【図５】
2014179882.tif 000007
【図６】
2014179882.tif 000008
【図７】
2014179882.tif 000009
【図８】
2014179882.tif 000010
【図９】
2014179882.tif 000011
【図１０】
2014179882.tif 000012
【図１１】
2014179882.tif 000013
【図１２】
2014179882.tif 000014
【図１３】
2014179882.tif 000015